(57)【要約】【課題】  電源スイッチのオンオフによる累積点灯時間のリセット操作に伴う消費電力が抑制される放電灯点灯装置及び照明システムを提供する。【解決手段】  放電灯Ｌａに点灯のための電力を供給する点灯部２と、放電灯Ｌａの累積点灯時間の増加に伴う光束の低下を補って放電灯Ｌａへの供給電力を徐々に増加させるように点灯部２を制御する制御回路３０とを備える。点灯部２への電源の供給が所定の手順でオンオフされたとき、制御回路３０は累積点灯時間をリセットさせる。制御回路３０へのクロックの供給元として、放電灯Ｌａの点灯中にクロックの供給元となる高速クロック発生回路７ａの他、高速クロック発生回路７ａよりもクロックの周波数が低く放電灯Ｌａが消灯されている間に制御回路３０のクロックの供給元となる低速クロック発生回路７ｂを備える。低速クロック発生回路７ｂの使用により消費電力が低減される。【選択図】図１
2009032521.tif 000002
【特許請求の範囲】
【請求項１】
接続された放電灯に対し点灯のための電力を供給する点灯部と、
点灯部に接続された放電灯の累積点灯時間を計時する計時部と、
計時部によって計時された累積点灯時間に基づき累積点灯時間の増加に伴う放電灯の光束の低下を補うように点灯部を制御する照度補正動作を行う制御部と、
制御部に動作用のクロックを供給するクロック供給部とを備え、
制御部は、点灯部と電源との接続が切り換えられたときに点灯部から放電灯への電力の供給のオンオフを切り換えさせるとともに、点灯部と電源との接続が所定のリセット手順で切り換えられたときに、計時部における累積点灯時間を初期値に戻すものであって、
クロック供給部は、点灯部から放電灯への電力の供給が停止されている期間に制御部に供給するクロックの周波数を、点灯部から放電灯へ電力が供給されている期間に制御部に供給するクロックの周波数よりも低くすることを特徴とする放電灯点灯装置。
【請求項２】
無負荷状態を検出する無負荷検出部を備え、
制御部が受け付けるリセット手順は、無負荷検出部によって無負荷状態が検出されているときと無負荷検出部によって無負荷状態が検出されていないときとで互いに異なることを特徴とする請求項１記載の放電灯点灯装置。
【請求項３】
放電灯への供給電力を指示する調光信号が入力される調光信号入力部と、調光信号入力部に入力された調光信号に基いて点灯部を制御する連続調光動作と照度補正動作とのうち制御部の動作を択一的に切り換える切換手段とを備え、
制御部は、調光信号入力部に所定の調光信号が入力されているときには放電灯への電力の供給を停止させるように点灯部を制御することを特徴とする請求項１又は請求項２記載の放電灯点灯装置。
【請求項４】
請求項１〜３のいずれか１項に記載の放電灯点灯装置を複数個備えることを特徴とする照明システム。
【発明の詳細な説明】
【技術分野】
【０００１】
本発明は、放電灯点灯装置及び照明システムに関するものである。
【背景技術】
【０００２】
従来から、放電灯を点灯させる放電灯点灯装置であって、放電灯の累積点灯時間を計時するとともに、累積点灯時間の経過に伴う放電灯の光束の低下を補うように放電灯への供給電力を徐々に増加させることにより、放電灯の輝度を寿命初期から寿命末期まで略一定に保つようにした放電灯点灯装置が提供されている。
【０００３】
この種の放電灯点灯装置において、放電灯が新品に交換された場合には累積点灯時間を０に戻す（リセットする）必要がある。
【０００４】
累積点灯時間のリセットのタイミングを決定する手段としては、例えば、累積点灯時間のリセットのためのリセットスイッチを設け、リセットスイッチが操作されたときに累積点灯時間をリセットするという手段がある。しかし、リセットスイッチを設けると、部品点数が増加して製造コストが増大してしまう。
【０００５】
そこで、無負荷状態が検出されたときに累積点灯時間をリセットする放電灯点灯装置や、放電灯の寿命末期が検出されたときに累積点灯時間をリセットする放電灯点灯装置が提供されている。
【０００６】
しかし、無負荷状態が検出されたときに累積点灯時間をリセットする場合、清掃時など一旦取り外された放電灯が再度取り付けられる場合にまで累積点灯時間がリセットされてしまうという問題がある。また、放電灯の寿命末期が検出されたときに累積点灯時間をリセットする場合、放電灯が寿命末期に至らないうちに放電灯が交換された場合に累積点灯時間がリセットされないという問題がある。
【０００７】
そこで、電源スイッチが、例えば所定時間以内に所定回数以上オンオフを切り替えられた場合といったように、所定のリセット手順でオンオフされたときに累積点灯時間をリセットする放電灯点灯装置が提供されている（例えば、特許文献１及び特許文献２参照）。すなわち、リセット手順の判別のために、電源スイッチのオンオフの継続時間を計時する制御部を備える。この種の放電灯点灯装置であれば、リセットスイッチが不要である上に、使用者が意図したタイミングで累積点灯時間をリセットすることができる。
【特許文献１】特開２００７−１２３２２２号公報
【特許文献２】特開２０００−２２３２９６号公報
【発明の開示】
【発明が解決しようとする課題】
【０００８】
ここで、上記のように電源スイッチのオンオフの手順によって累積点灯時間をリセットする場合、電源スイッチのオン状態の継続時間が確定するのは電源スイッチがオフされたときであるため、電源スイッチのオン状態の継続時間を記憶するためには電源スイッチのオフ後にも制御部にある程度給電される必要がある。
【０００９】
しかし、電源スイッチのオフ後には放電灯が消灯されているから、制御部に過剰な電力が供給され、消費電力が無駄に多くなってしまうことが考えられる。
【００１０】
本発明は、上記事由に鑑みて為されたものであり、その目的は、電源スイッチのオンオフによる累積点灯時間のリセット操作に伴う消費電力が抑制される放電灯点灯装置及び照明システムを提供することにある。
【課題を解決するための手段】
【００１１】
請求項１の発明は、接続された放電灯に対し点灯のための電力を供給する点灯部と、点灯部に接続された放電灯の累積点灯時間を計時する計時部と、計時部によって計時された累積点灯時間に基づき累積点灯時間の増加に伴う放電灯の光束の低下を補うように点灯部を制御する照度補正動作を行う制御部と、制御部に動作用のクロックを供給するクロック供給部とを備え、制御部は、点灯部と電源との接続が切り換えられたときに点灯部から放電灯への電力の供給のオンオフを切り換えさせるとともに、点灯部と電源との接続が所定のリセット手順で切り換えられたときに、計時部における累積点灯時間を初期値に戻すものであって、クロック供給部は、点灯部から放電灯への電力の供給が停止されている期間に制御部に供給するクロックの周波数を、点灯部から放電灯へ電力が供給されている期間に制御部に供給するクロックの周波数よりも低くすることを特徴とする。
【００１２】
この発明によれば、点灯部から放電灯への電力の供給が停止されている期間には制御部に供給されるクロックの周波数が低くされることにより、点灯部から放電灯への電力の供給が停止されている期間にも放電灯の点灯中と同じ周波数のクロックを制御部に供給する場合に比べ、点灯部と電源との接続を切り換える電源スイッチのオンオフによる累積点灯時間のリセット操作に伴う消費電力が抑制される。
【００１３】
請求項２の発明は、請求項１の発明において、無負荷状態を検出する無負荷検出部を備え、制御部が受け付けるリセット手順は、無負荷検出部によって無負荷状態が検出されているときと無負荷検出部によって無負荷状態が検出されていないときとで互いに異なることを特徴とする。
【００１４】
この発明によれば、複数個の放電灯点灯装置で電源スイッチが共通である場合にも、累積点灯時間をリセットしたい放電灯点灯装置と累積点灯時間をリセットしたくない放電灯点灯装置とで予め放電灯の着脱状態を異ならせておくことにより、任意の放電灯点灯装置のみで累積点灯時間をリセットすることができる。
【００１５】
請求項３の発明は、請求項１又は請求項２の発明において、放電灯への供給電力を指示する調光信号が入力される調光信号入力部と、調光信号入力部に入力された調光信号に基いて点灯部を制御する連続調光動作と照度補正動作とのうち制御部の動作を択一的に切り換える切換手段とを備え、制御部は、調光信号入力部に所定の調光信号が入力されているときには放電灯への電力の供給を停止させるように点灯部を制御することを特徴とする。
【００１６】
この発明によれば、調光信号による放電灯のオンオフが可能となる。
【００１７】
請求項４の発明は、請求項１〜３のいずれか１項に記載の放電灯点灯装置を複数個備えることを特徴とする。
【発明の効果】
【００１８】
請求項１の発明によれば、点灯部から放電灯への電力の供給が停止されている期間には制御部に供給されるクロックの周波数が低くされることにより、点灯部から放電灯への電力の供給が停止されている期間にも放電灯の点灯中と同じ周波数のクロックを制御部に供給する場合に比べ、点灯部と電源との接続を切り換える電源スイッチのオンオフによる累積点灯時間のリセット操作に伴う消費電力が抑制される。
【００１９】
請求項２の発明によれば、無負荷状態を検出する無負荷検出部を備え、制御部が受け付けるリセット手順は、無負荷検出部によって無負荷状態が検出されているときと無負荷検出部によって無負荷状態が検出されていないときとで互いに異なることにより、複数個の放電灯点灯装置で電源スイッチが共通である場合にも、累積点灯時間をリセットしたい放電灯点灯装置と累積点灯時間をリセットしたくない放電灯点灯装置とで予め放電灯の着脱状態を異ならせておくことにより、任意の放電灯点灯装置のみで累積点灯時間をリセットすることができる。
【００２０】
請求項３の発明によれば、制御部が、調光信号入力部に所定の調光信号が入力されているときには放電灯への電力の供給を停止させるように点灯部を制御することにより、調光信号による放電灯のオンオフが可能となる。
【発明を実施するための最良の形態】
【００２１】
以下、本発明を実施するための最良の形態について、図面を参照しながら説明する。
【００２２】
図１に示すように、本実施形態の放電灯点灯装置１は、放電灯Ｌａに点灯のための電力を供給する点灯部２と、点灯部２を制御する制御回路３０とを備える。
【００２３】
詳しく説明すると、点灯部２は、交流電源ＡＣ１から入力された交流電力を全波整流するダイオードブリッジＤＢと、ダイオードブリッジＤＢが出力した直流電力を電圧の異なる直流電力に変換する直流電源回路２１と、直流電源回路２１が出力した直流電力を交流電力に変換して放電灯Ｌａに供給するインバータ回路２２とを備える。
【００２４】
直流電源回路２１は、ダイオードブリッジＤＢの直流出力端間に接続されたチョッパチョークＬ１とダイオードＤ１と電解コンデンサＣ１との直列回路と、ダイオードＤ１と電解コンデンサＣ１との直列回路に並列に接続された例えばＭＯＳＦＥＴからなるスイッチング素子Ｑ１とを備え、電解コンデンサＣ１の両端を出力端とする、周知の昇圧チョッパ回路である。
【００２５】
インバータ回路２２は、直流電源回路２１の電解コンデンサＣ１の両端間に接続された例えばそれぞれＭＯＳＦＥＴからなる２個のスイッチング素子Ｑ２，Ｑ３の直列回路と、放電灯Ｌａのフィラメントの一端間に接続されたコンデンサＣ３と、スイッチング素子Ｑ２，Ｑ３の接続点と放電灯Ｌａの一方のフィラメントの他端との間に接続されたバラストチョークＬ２とコンデンサＣ２との直列回路とを備える。放電灯Ｌａの他方のフィラメントの他端は、ローサイドのスイッチング素子Ｑ３の低電圧側の端に接続されており、ローサイドのスイッチング素子Ｑ３の両端間に接続されたバラストチョークＬ２とコンデンサＣ２，Ｃ３と放電灯Ｌａとは共振回路を構成している。すなわち、インバータ回路２２は、スイッチング素子Ｑ２，Ｑ３が交互にオンオフされたときに上記共振回路に発生する交流電流を放電灯Ｌａに供給する周知のハーフブリッジ形の回路である。
【００２６】
また、点灯部２は、点灯部２の各スイッチング素子Ｑ１〜Ｑ３をオンオフするドライブ回路２３を備える。制御回路３０は、直流電源回路２１のスイッチング素子Ｑ１のオンオフのデューティ比を制御することにより直流電源回路２１の出力電圧を略一定に制御するとともに、インバータ回路２２のスイッチング素子Ｑ２，Ｑ３のオンオフの周波数（以下、「動作周波数」と呼ぶ。）を上記共振回路の共振周波数に対して変化させることによって放電灯Ｌａへの供給電力を制御する。
【００２７】
さらに、本実施形態は、放電灯Ｌａに電力が供給されている期間に制御回路３０によって制御され定期的にカウント値が加算されるカウンタ回路３１と、不揮発性メモリからなり電源スイッチＳＷ１がオフされたときにカウンタ回路３１におけるカウント値が制御回路３０によって格納される記憶回路３２とを備える。制御回路３０は、電源スイッチＳＷ１がオンされたとき、記憶回路３２からカウント値を読み込んでカウンタ回路３１におけるカウント値とする。すなわち、カウンタ回路３１におけるカウント値が累積点灯時間に相当するのであり、カウンタ回路３１と記憶回路３２とが請求項における計時部を構成する。そして、制御回路３０は、点灯部２による放電灯Ｌａの点灯中、カウンタ回路３１におけるカウント値に基き、累積点灯時間の増加に伴う放電灯Ｌａの光束の低下を補って放電灯Ｌａの輝度（放電灯Ｌａによって照明される範囲の照度）を略一定に保つように点灯部２を制御する照度補正動作を行う。具体的には、カウンタ回路３１におけるカウント値が高いほど放電灯Ｌａへの供給電力を高くする。具体的な動作周波数の決定方法については、例えばカウント値と動作周波数との対応関係を示すデータテーブルを予め記憶回路３２等に格納しておいてこれを用いてもよいし、カウント値から動作周波数を決定する計算式を用いてもよい。
【００２８】
また、交流電源ＡＣ１と直流電源回路２１との間には、交流電源ＡＣ１から直流電源回路２１への給電をオンオフする電源スイッチＳＷ１が接続されており、本実施形態は、ダイオードブリッジＤＢの出力電圧を監視することにより交流電源ＡＣ１と直流電源回路２１との接続状態（すなわち電源スイッチＳＷ１のオンオフ）を検出する電源検出回路４を備える。
【００２９】
さらに、本実施形態は、放電灯Ｌａが接続されていない状態、または、放電灯Ｌａのいずれかのフィラメントが断線している状態である、無負荷状態を検出する無負荷検出部としてのランプ状態検出回路５を備える。制御回路３０は、電源スイッチＳＷ１のオンオフが切り換わった直後や、ランプ状態検出回路５によって無負荷状態が検出されている期間には、ドライブ回路２３にスイッチング素子Ｑ１〜Ｑ３の駆動をさせず放電灯Ｌａに給電しないスタンバイ動作を行う。
【００３０】
また、本実施形態は、ダイオードブリッジＤＢの出力端から電源を供給されて電源スイッチＳＷ１のオン直後やスタンバイ動作中の制御回路３０の電源を生成する起動電源回路６１と、インバータ回路２２のスイッチング素子Ｑ２，Ｑ３の接続点から電源を供給されて放電灯Ｌａの点灯中の制御回路３０の電源を生成する制御電源回路６２とを備える。起動電源回路６１は例えば、ダイオードブリッジＤＢと制御回路３０との間に接続された電気抵抗からなり、直流電源回路２１のコンデンサＣ１に蓄えられた電力により、電源スイッチＳＷ１がオフされた後も記憶回路３２の書き換えに必要な程度の電力を制御回路３０に供給することができるようになっている。なお、起動電源回路６１は、直流電源回路２１の出力端から電源を供給されるものであってもよい。また、制御電源回路６２も、電源スイッチＳＷ１がオフされた後も記憶回路３２の累積点灯時間等の書き換えに必要な程度の電力を制御回路３０に供給するために、ある程度の電力を蓄えることができるようになっている。具体的には、制御電源回路６２は、例えば図２に示すように、一端がスイッチング素子Ｑ２，Ｑ３の接続点に接続された第１コンデンサＣ４と、第１コンデンサＣ４の他端にカソードが接続されアノードがグランド（直流電源回路２１の低電圧側の出力端と同電位）に接続された第１ダイオードＤ２と、アノードが第１コンデンサＣ４と第１ダイオードＤ２との接続点に接続された第２ダイオードＤ３と、一端が第２ダイオードＤ３のカソードに接続され他端がグランドに接続された第２コンデンサＣ５とからなり第２ダイオードＤ３と第２コンデンサＣ５との接続点を出力端とするものである。すなわち、図２の制御電源回路６２は、インバータ回路２２のスイッチング素子Ｑ２，Ｑ３の接続点の電圧から第１コンデンサＣ４によって交流成分を除去した電圧を第２コンデンサＣ５で平滑して出力するものである。または、制御電源回路６２は、図３に示すように、１次巻線がインバータ回路２２のバラストチョークＬ２として用いられ２次巻線は一端がグランドに接続されたトランスと、アノードが上記トランスの２次巻線の他端に接続されたダイオードＤ４と、カソードがダイオードＤ４のカソードに接続されアノードがグランドに接続されたツェナーダイオードＺＤ１と、一端がダイオードＤ４とツェナーダイオードＺＤ１との接続点に接続され他端がグランドに接続されたコンデンサＣ６とを備えるものであってもよい。すなわち、図３の制御電源回路６２は、上記トランスの２次巻線に誘導された電流によりダイオードＤ４とツェナーダイオードＺＤ１との接続点に生じた電圧を、コンデンサＣ６によって平滑して出力するものである。図２と図３とのいずれの制御電源回路６２でも、電源スイッチＳＷ１がオフされた後に、コンデンサＣ５，Ｃ６に蓄えられた電力を制御回路３０に供給することができる。
【００３１】
さらに、本実施形態は、制御回路３０に動作用のクロックを供給するクロック発生回路７を備える。クロック発生回路７は、周波数が例えば数ＭＨｚ程度の比較的に高周波数のクロックを発生させる高速クロック発生回路７ａと、周波数が例えば数百ｋＨｚ程度の比較的に低周波数のクロックを発生させる低速クロック発生回路７ｂとからなる。制御回路３０は、ドライブ回路２３を動作させて放電灯Ｌａに電力を供給する期間には高速クロック発生回路７ａからクロックを供給され、ドライブ回路２３を停止させて放電灯Ｌａに電力を供給しないスタンバイ動作中には低速クロック発生回路７ｂからクロックを供給される。
【００３２】
ここで、本実施形態において累積点灯時間に相当するカウント数を初期値（例えば０）に戻す（リセットする）ためのリセット手順について説明する。
【００３３】
リセット手順は、電源スイッチＳＷ１をオン後に所定の規定時間Ｔ１以内にオフするという操作（以下、「単位操作」と呼ぶ。）を、規定回数繰り返すというものである。規定回数は、ランプ状態検出回路５によって無負荷状態が検出されているか否かで異なっている。以下では、ランプ状態検出回路５によって無負荷状態が検出されているときは図４に示すように規定回数を３回とし、ランプ状態検出回路５によって無負荷状態が検出されていないときは図５に示すように規定回数を６回としているが、規定回数は上記に限られず適宜選択することができる。そして、記憶回路３２には、ランプ状態検出回路５によって無負荷状態が検出されている状態で単位操作が行われた回数である無負荷操作回数Ｎｎと、ランプ状態検出回路５によって無負荷状態が検出されていない状態（つまり点灯部２に正常な放電灯Ｌａが接続された状態。以下、「有負荷状態」と呼ぶ。）で単位操作が行われた回数である有負荷操作回数Ｎｒとがそれぞれ格納されている。
【００３４】
以下、本実施形態の制御回路３０の動作について、図６の流れ図を参照しながら説明する。
【００３５】
制御回路３０は、電源検出回路４によって電源スイッチＳＷ１のオンが検出されて始動する（Ｓ１）と、まず、低速クロック発生回路７ｂからクロックを供給されることによるスタンバイ動作を開始し、電源スイッチＳＷ１のオンが検出されてからの経過時間（以下、「オン時間」と呼ぶ。）Ｔの計時を開始する（Ｓ２）。
【００３６】
次に、制御回路３０は、ランプ状態検出回路５によって無負荷状態が検出されているか否かを判定する（Ｓ３）。ランプ状態検出回路５によって無負荷状態が検出されていた場合、制御回路３０は、無負荷操作回数Ｎｎが０であるか否かを判定し（Ｓ４）、無負荷操作回数Ｎｎが０である場合（すなわち有負荷状態から無負荷状態に変化した直後など）には有負荷操作回数Ｎｒを０にした上で（Ｓ５）、スタンバイ動作に移行する。また、ステップＳ４において無負荷操作回数Ｎｎが以外である場合、すなわち有負荷操作回数Ｎｒが既に０とされている場合には、制御回路３０はそのままスタンバイ動作に移行する。スタンバイ動作中に、電源検出回路４によって電源スイッチＳＷ１のオフが検出されると、制御回路３０は、オン時間Ｔが規定時間Ｔ１に達しているか否かを判定し（Ｓ６）、オン時間Ｔが規定時間Ｔ１に達していれば、無負荷操作回数Ｎｎを０とする（Ｓ７）。一方、ステップＳ６においてオン時間Ｔが規定時間Ｔ１未満であった場合、制御回路３０は、無負荷操作回数Ｎｎが既に規定回数の３であるか否かを判定し（Ｓ８）、まだ規定回数未満（２以下）であれば無負荷操作回数に１を加算する（Ｓ９）。そして、ステップＳ７とステップＳ９とのいずれかで無負荷操作回数Ｎｎが変更された後は、記憶回路３２に該変更を反映させて（Ｓ１０）、動作を終了する（Ｓ１１）。ステップＳ１０では、ステップＳ５における変更があった場合には有負荷操作回数Ｎｒも更新される。また、ステップＳ８において無負荷操作回数Ｎｎが既に規定回数の３であった場合は無負荷操作回数Ｎｎと有負荷操作回数Ｎｒと累積点灯時間（カウント値）とのいずれにも変更がないので、制御回路３０は特に記憶回路３２を書き換えることなくステップＳ１１に進んで終了する。
【００３７】
また、ステップＳ３においてランプ状態検出回路５によって無負荷状態が検出されていなかった場合、つまり有負荷状態の場合には、制御回路３０は、クロックの供給元を低速クロック発生回路７ｂから高速クロック発生回路７ａに切り換え、記憶回路３２に格納された累積点灯時間を示すカウント値をカウンタ回路３１に復元した後、点灯部２を制御して放電灯Ｌａを点灯させるとともにカウンタ回路３１におけるカウント値を定期的に加算する（すなわち累積点灯時間を計時する）動作（以下、「通常動作」と呼ぶ。）を開始する（Ｓ１２）。次に、制御回路３０は、無負荷操作回数Ｎｎと有負荷操作回数Ｎｒとのいずれかが規定回数（無負荷操作回数Ｎｎについては３、有負荷操作回数Ｎｒについては６）に達しているか否かを判定する（Ｓ１３）。そして、無負荷操作回数Ｎｎと有負荷操作回数Ｎｒとのいずれかが規定回数に達していれば、制御回路３０は、累積点灯時間（カウント値）を初期値である０に戻し（リセットし）（Ｓ１４）、無負荷操作回数Ｎｎと有負荷操作回数Ｎｒとをそれぞれ０に戻す（Ｓ１５）とともに、カウンタ回路３１におけるカウント動作すなわち累積点灯時間の計時を開始する。その後、電源検出回路４によって電源スイッチＳＷ１のオフが検出されると、制御回路３０は、低速クロック発生回路７ｂからクロックを供給されるスタンバイ動作に移行し（Ｓ１６）、ステップＳ１０において記憶回路３２における無負荷操作回数Ｎｎと有負荷操作回数Ｎｒと累積点灯時間（カウント値）とをそれぞれ更新した後、ステップ１１において処理を終了する。
【００３８】
さらに、ステップＳ１３において無負荷操作回数Ｎｎと有負荷操作回数Ｎｒとのいずれも規定回数に達していなかった場合、制御回路３０は、有負荷操作回数Ｎｒが０であるか否かを判定し（Ｓ１７）、有負荷操作回数Ｎｒが０である場合（すなわち無負荷状態から有負荷状態に変化した直後など）には無負荷操作回数Ｎｎを０とする（Ｓ１８）。一方、ステップＳ１７において有負荷操作回数Ｎｒが０でない場合、すなわち既に無負荷操作回数Ｎｎが０である場合には、特に無負荷操作回数Ｎｎは変更されない。その後、電源検出回路４によって電源スイッチＳＷ１のオフが検出されると、制御回路３０は、クロックの供給元を高速クロック発生回路７ａから低速クロック発生回路７ｂに切り換えるとともにドライバ回路２３によるスイッチング素子Ｑ１〜Ｑ３の駆動を停止させてスタンバイ動作に移行し（Ｓ１９）、オン時間Ｔが規定時間Ｔ１に達しているか否かを判定する（Ｓ２０）。そして、制御回路３０は、オン時間Ｔが規定時間Ｔ１に達していない場合には有負荷操作回数Ｎｒに１を加算する（Ｓ２１）一方、オン時間Ｔが規定時間Ｔ１に達していた場合には有負荷操作回数Ｎｒを０に戻して（Ｓ２２）、ステップＳ１０において記憶回路３２における無負荷操作回数Ｎｎと有負荷操作回数Ｎｒと累積点灯時間（カウント値）とを適宜更新し、ステップＳ１１に進んで処理を終了する。いずれの場合であっても、ステップＳ１１での処理の終了後にはオン時間Ｔは保存されず、オン時間Ｔは始動時毎に０から計時される。また、オン時間Ｔは電源スイッチＳＷ１がオフされた時点で規定時間Ｔ１に達したか否かだけを判定すればよいので、オン時間Ｔの計時は、電源スイッチＳＷ１のオフが電源検出回路４によって検出された時点とオン時間Ｔが規定時間Ｔ１に達した時点とのうちより前の時点で停止される。なお、図４及び図５において、ｔｒは記憶回路３２からの読み込みがなされるタイミングを示し、ｔｗは記憶回路３２への書き込みがなされるタイミングを示す。
【００３９】
上記構成によれば、通常動作中は制御回路３０のクロックの供給元を高速クロック発生回路７ａとすることにより、制御に用いられるパラメータの変化やランプ状態検出回路５による無負荷の検出に対する制御回路３０の応答速度を確保しながらも、放電灯Ｌａが消灯されるスタンバイ動作中は制御回路３０のクロックの供給元を低速クロック発生回路７ｂとすることにより消費電力が低減される。
【００４０】
また、無負荷状態での規定回数が、有負荷状態での規定回数よりも少ないことにより、例えば複数個の放電灯点灯装置１が１個の電源スイッチＳＷ１で同時にオンオフされる場合にも、累積点灯時間をリセットしたい放電灯点灯装置１の放電灯Ｌａを予め取り外しておくことにより、任意の放電灯点灯装置１でのみ累積点灯時間をリセットさせることができる。
【００４１】
なお、電源スイッチＳＷ１は、図７に示すように、周波数と電圧との少なくとも一方が互いに異なる２種類の電源ＡＣ１，ＡＣ２の一方を択一的に点灯部２に接続するように切り換える切り換えスイッチであってもよい。この場合でも、電源スイッチＳＷ１の切り換えに応じた動作は上記と同様である。すなわち、電源スイッチＳＷ１が電源ＡＣ１，ＡＣ２の一方に接続されている状態が電源スイッチＳＷ１のオン状態に相当し、電源スイッチＳＷ１が電源ＡＣ１，ＡＣ２の他方に接続されている状態が電源スイッチＳＷ１のオフ状態に相当する。また、上記２種類の電源ＡＣ１，ＡＣ２の電圧が互いに共通であって周波数が互いに異なる場合、電源検出回路４は、ダイオードブリッジＤＢが出力する脈流電圧のパルスを一定期間カウントし、そのカウント数が所定の閾値を上回ったときに、電源ＡＣ１，ＡＣ２のうち周波数がより高い一方に電源スイッチＳＷ１が接続されていることを検出するものとする。
【００４２】
さらに、図８に示すように、例えばエミレス状態のような放電灯Ｌａの寿命末期を検出する寿命末期検出回路８を設け、制御回路３０が、電源スイッチＳＷ１がオン状態であって寿命末期検出回路８によって放電灯Ｌａの寿命末期が検出されている場合には通常動作中であれば通常動作を終了して必ずスタンバイ動作を行うとともに有負荷操作回数Ｎｒと無負荷操作回数Ｎｎとの少なくとも一方を規定回数とするようにしてもよい。すなわち、寿命末期検出回路８によって放電灯Ｌａの寿命末期が検出された場合には、リセットのための操作を特に行わなくても、次に放電灯Ｌａが交換されて電源スイッチＳＷ１がオンされたときには累積点灯時間がリセットされるのであり、操作の手間を省くことができる。上記のような寿命末期検出回路８は周知技術で実現可能であるので、詳細な説明は省略する。
【００４３】
また、クロック発生回路７とカウンタ回路３１と記憶回路３２との一部又は全部と、制御回路３０とを、図９に示すように１チップのマイコン３で構成してもよい。さらに、図９の例は、調光器ＣＣから送信されて放電灯Ｌａへの供給電力を指示する調光信号を受信する調光信号入力部としての調光信号受信回路９を備え、通常動作として上記のように放電灯Ｌａの光束を一定に保つ動作（以下、「照度補正動作」と呼ぶ。）のほか、調光信号受信回路９に受信された調光信号に応じた電力を放電灯Ｌａに供給するように点灯部２を制御する動作（以下、「連続調光動作」と呼ぶ。）が可能となっている。詳しく説明すると、マイコン３には動作切換スイッチＳＷ２と抵抗Ｒ１との直列回路が接続されていて、動作切換スイッチＳＷ２のオンオフに応じて、マイコン３における動作切換用の端子への入力電圧が切り換えられ、照度補正動作と連続調光動作とが択一的に切り替えられるようになっている。例えば、調光信号は指示する供給電力に応じたデューティ比のＰＷＭ信号であり、調光信号受信回路９は調光信号から生成されたアナログ信号をマイコン３に入力する。マイコン３は、放電灯Ｌａに供給すべき電力に応じたデューティ比（すなわち、照度補正動作中は累積点灯時間に応じたデューティ比であり、連続調光動作中は調光信号受信回路９から入力されたアナログ信号の電圧値に応じたデューティ比）のＰＷＭ信号をドライブ回路２３に入力する。ドライブ回路２３はマイコン３から入力されたＰＷＭ信号を平滑するＲＣ平滑回路（図示せず）を有し、このＲＣ平滑回路の出力電圧に応じた周波数でインバータ回路２２のスイッチング素子Ｑ２，Ｑ３を駆動する。調光信号受信回路９から入力されたアナログ信号により示された数値からドライブ回路２３へ入力するＰＷＭ信号のデューティ比を決定する動作については、演算式を用いてもよいし、内蔵ＲＯＭ等に予め格納されたデータテーブルを用いてもよい。調光信号は、例えばデューティ比が０％〜５％であるときに放電灯Ｌａの定格電力を指示するものとなり、デューティ比が５％〜９５％であるときにデューティ比が高いほど低い電力を指示するものとなり、デューティ比が９５％〜１００％で放電灯Ｌａの消灯（スタンバイ動作）を指示するものとなる。連続調光動作中であっても、制御回路３０は、照度補正動作中と同様に、クロックの供給元を高速クロック発生回路７ａとする。これにより、調光信号の変化に対する応答速度が確保される。なお、照度補正動作と連続調光動作とが動作切換スイッチＳＷ２によって切り換えられる構成とする代わりに、調光信号受信回路９に調光信号が入力されていないとき（すなわち調光信号のデューティ比が０％であるとき）に照度補正動作が行われ、調光信号受信回路９に調光信号が受信されているとき（すなわち調光信号のデューティ比が０％以外であるとき）に連続調光動作など調光信号に応じた動作が行われるようにしてもよい。この場合には、調光信号受信回路９が請求項における切換手段となる。
【００４４】
また、低速クロック発生回路７ｂと高速クロック発生回路７ａとを別々に設ける代わりに、例えば１個のクロック発生回路７と制御回路３０との間に分周器（図示せず）を設け、分周器での分周比を切り替えることによってクロックの周波数を切り換える構成としてもよい。さらに、低速クロック発生回路７ｂと高速クロック発生回路７ａとの一方のみを制御回路３０とともに１チップのマイコン３に設け、低速クロック発生回路７ｂと高速クロック発生回路７ａとの他方をマイコン３外に設けるとともに、低速クロック発生回路７ｂと高速クロック発生回路７ａとの一方をクロックの供給元とするように択一的に切り換えるスイッチ（図示せず）をマイコン３内またはマイコン３外に設けてもよい。
【００４５】
上記の放電灯点灯装置１は、例えば複数個の放電灯点灯装置１が互いに共通の電源スイッチＳＷ１や調光器ＣＣで一括して制御されるような照明システムを構成することができる。
【図面の簡単な説明】
【００４６】
【図１】本発明に係る実施形態を示す回路ブロック図である。
【図２】同上における制御電源回路の一例を示す回路図である。
【図３】同上における制御電源回路の別の例を示す回路図である。
【図４】同上の動作を示す説明図である。
【図５】同上の別の動作を示す説明図である。
【図６】同上の動作を示す流れ図である。
【図７】同上の別の形態を示す回路ブロック図である。
【図８】同上の更に別の形態を示す回路ブロック図である。
【図９】同上の別の形態を示す回路ブロック図である。
【符号の説明】
【００４７】
１  放電灯点灯装置
２  点灯部
３  マイコン（請求項における制御部、計時部、並びにクロック供給部）
５  ランプ状態検出回路（請求項における無負荷検出部）
７  クロック発生回路（請求項におけるクロック供給部）
９  調光信号受信回路（請求項における調光信号入力部）
３０  制御回路
３１  カウンタ（請求項における計時部）
３２  記憶部
Ｌａ  放電灯
【図１】
2009032521.tif 000003
【図２】
2009032521.tif 000004
【図３】
2009032521.tif 000005
【図４】
2009032521.tif 000006
【図５】
2009032521.tif 000007
【図６】
2009032521.tif 000008
【図７】
2009032521.tif 000009
【図８】
2009032521.tif 000010
【図９】
2009032521.tif 000011